【手続補正書】
【提出日】平成19年9月11日(2007.9.11)
【手続補正１】
【補正対象書類名】明細書
【補正対象項目名】特許請求の範囲
【補正方法】変更
【補正の内容】
【特許請求の範囲】
【請求項１】
第１のマークアップ言語で記述された文書データをネットワークを介して外部装置から取得する取得手段と、
前記取得手段で取得した文書データを、第２のマークアップ言語で記述した文書データに変換する変換手段と、
前記変換手段で変換した文書データを展開し、画像データを生成する生成手段と、
前記生成手段で生成された画像データに基づいて印刷を実行する印刷手段と
を有することを特徴とするプリンタシステム。
【請求項２】
前記第１のマークアップ言語は、１ページ毎の文書のレイアウトを定義する機能を備えていないマークアップ言語であり、
前記第２のマークアップ言語は、１ページ毎の文書のレイアウトを定義する機能を備えているマークアップ言語であることを特徴とする請求項１記載のプリンタシステム。
【請求項３】
前記第１のマークアップ言語は、ＨＴＭＬ又はＸＭＬであり、前記第２のマークアップ言語は、ＳＶＧであることを特徴とした請求項１又は２に記載のプリンタシステム。
【請求項４】
前記取得手段及び変換手段を備えるフォーマット変換装置と、前記生成手段及び前記印刷手段を備えるプリンタとを有することを特徴とする請求項１乃至３の何れかに記載のプリンタシステム。
【請求項５】
印刷指示データを受信する受信手段を更に備え、
前記受信手段で受信した印刷指示データに、文書データのネットワーク上における場所を指定した場所データが含まれていた場合、前記取得手段は、指定された場所データに基づいて文書データを取得することを特徴とする請求項１乃至４の何れかに記載のプリンタシステム。
【請求項６】
前記変換手段は、前記受信手段で受信した印刷指示データに含まれる文書属性の情報に基づいて、前記第１のマークアップ言語で記述された文書データを前記第２のマークアップ言語で記述した文書データに変換することを特徴とする請求項５記載のプリンタシステム。
【請求項７】
前記文書属性の情報は、少なくとも用紙サイズを示す情報を含むことを特徴とする請求項６記載のプリンタシステム。
【請求項８】
プリンタの能力を示す情報を取得する第２の取得手段を更に有し、
前記変換手段は、前記第２の取得手段で取得したプリンタの能力を示す情報に基づいて、前記第１のマークアップ言語で記述された文書データを前記第２のマークアップ言語で記述した文書データに変換することを特徴とする請求項５乃至７の何れかに記載のプリンタシステム。
【請求項９】
前記プリンタの能力を示す情報は、少なくとも当該プリンタの解像度を示す情報を含むことを特徴とする請求項８記載のプリンタシステム。
【請求項１０】
第１のマークアップ言語で記述された文書データをネットワークを介して外部装置から取得する取得工程と、
前記取得工程で取得した文書データを、第２のマークアップ言語で記述した文書データに変換する変換工程と、
前記変換工程で変換した文書データを展開し、画像データを生成する生成工程と、
前記生成工程で生成された画像データに基づいて印刷を実行する印刷工程と
を有することを特徴とするプリンタシステムの制御方法。
【請求項１１】
前記第１のマークアップ言語は、１ページ毎の文書のレイアウトを定義する機能を備えていないマークアップ言語であり、
前記第２のマークアップ言語は、１ページ毎の文書のレイアウトを定義する機能を備えているマークアップ言語であることを特徴とする請求項１０記載のプリンタシステムの制御方法。
【請求項１２】
前記第１のマークアップ言語は、ＨＴＭＬ又はＸＭＬであり、前記第２のマークアップ言語は、ＳＶＧであることを特徴とした請求項１０又は１１に記載のプリンタシステムの制御方法。
【請求項１３】
前記取得工程及び変換工程はフォーマット変換装置により実行され、前記生成工程及び前記印刷工程はプリンタにより実行されることを特徴とする請求項１０乃至１２の何れかに記載のプリンタシステムの制御方法。
【請求項１４】
印刷指示データを受信する受信工程を更に備え、
前記受信工程で受信した印刷指示データに、文書データのネットワーク上における場所を指定した場所データが含まれていた場合、前記取得工程では、指定された場所データに基づいて文書データを取得することを特徴とする請求項１０乃至１３の何れかに記載のプリンタシステムの制御方法。
【請求項１５】
前記変換工程では、前記受信工程で受信した印刷指示データに含まれる文書属性の情報に基づいて、前記第１のマークアップ言語で記述された文書データを前記第２のマークアップ言語で記述した文書データに変換することを特徴とする請求項１４記載のプリンタシステムの制御方法。
【請求項１６】
前記文書属性の情報は、少なくとも用紙サイズを示す情報を含むことを特徴とする請求項１５記載のプリンタシステムの制御方法。
【請求項１７】
プリンタの能力を示す情報を取得する第２の取得工程を更に有し、
前記変換工程では、前記第２の取得工程で取得したプリンタの能力を示す情報に基づいて、前記第１のマークアップ言語で記述された文書データを前記第２のマークアップ言語で記述した文書データに変換することを特徴とする請求項１４乃至１６の何れかに記載のプリンタシステムの制御方法。
【請求項１８】
前記プリンタの能力を示す情報は、少なくとも当該プリンタの解像度を示す情報を含むことを特徴とする請求項１７記載のプリンタシステムの制御方法。
【手続補正２】
【補正対象書類名】明細書
【補正対象項目名】００１３
【補正方法】変更
【補正の内容】
【００１３】
第１のマークアップ言語で記述された文書データをネットワークを介して外部装置から取得する取得手段と、
前記取得手段で取得した文書データを、第２のマークアップ言語で記述した文書データに変換する変換手段と、
前記変換手段で変換した文書データを展開し、画像データを生成する生成手段と、
前記生成手段で生成された画像データに基づいて印刷を実行する印刷手段とを有する。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】発明の名称
【補正方法】変更
【補正の内容】
【発明の名称】プリンタシステム及びその制御方法